(57)【要約】【課題】カードをケースからわざわざ取り出さなくてもセットすることができ、しかも、ケース内に簡単に収納することもできるカード保持具を提供することである。【解決手段】開口部を有するケース５と、このケース５内に設けるとともにこのケース５の前面部８と後面部９とに架け渡した弾性体１１と、ケース５内に出し入れ自在にした１又は複数のカード６とを備え、上記カード６の両側またはいずれか一側に凹部１２を設けるとともに、この凹部１２と挿入方向端１３との間に係止部１４を設け、ケース５内にカード６を入れたときに、このカード６に設けた係止部１４が、上記ケース５内の弾性体１１に引っかかることによって、ケース５に対するカード６の移動が規制されることを特徴とする。【選択図】  図１
2004202863.tif 000002
【特許請求の範囲】
【請求項１】
開口部を有するケースと、このケース内に設けるとともにこのケースの前面部と後面部とに架け渡した弾性体と、ケース内に出し入れ自在にした１又は複数のカードとを備え、上記カードの両側またはいずれか一側に凹部を設けるとともに、この凹部と挿入方向端との間に係止部を設け、ケース内にカードを入れたときに、このカードに設けた係止部が、上記ケース内の弾性体に引っかかることによって、ケースに対するカードの移動が規制されることを特徴とするカード保持具。
【請求項２】
ケースの側面部から前面部および後面部にかけてスリットを形成し、このスリットに弾性体を架け渡したことを特徴とする請求項１記載のカード保持具。
【請求項３】
ケースは、前面部、後面部、両側面部及び底面部を有する一枚の厚紙からなり、上記両側面部、前面部および後面部にスリットを形成し、前面部と後面部とを対向させた状態で、これら前面部、後面部、及び両側面部に弾性体である輪ゴムをかけるとともに、その一部をスリットに引っかけて、ケースの形状を保持することを特徴とする請求項１記載のカード保持具。
【発明の詳細な説明】
【０００１】
【発明の属する技術分野】
この発明は、輪ゴムなどの弾性体の弾性力を利用して、カードを所定の位置に保持するカード保持具に関する。
【０００２】
【従来の技術】
複数のカードを保持するカード保持具として、例えば図１２に示すものが従来からある。
この従来のカード保持具は、ケース１内に、複数のカード２を出し入れ自在にしたものであって、各カード２の表面には、「外出中」、「休憩中」、「来客中」などの各種情報が記載されている。また、上記ケース１の内部には、図１３に示すように保持部３を設けている。そして、この保持部３に、選択したカード２をセットすることによって、そのカード２の上部がケース１から突出するようにしている。このようにすれば、選択したカード２に記載された情報が表示されることになる。つまり、この従来のカード保持具は、ケース１内にある複数のカード２の中から必要な情報が記載されたカード２を選択し、その選択したカード２をケース１から突出させることによって、そのカード２に記載された情報を表示するようにしている。
【０００３】
このようにした従来のカード保持具は、必要とする情報が記載されたカード２を表示する場合、まず、複数のカード２の中から、必要な情報の記載されているカード２を一枚選択する。次に、この選択したカード２を、ケース１から引き出して、一番手前に移動させる。そして、この一番手前に移動させたカード２を、再びケース１内に挿入するとともに、その下端を保持部３に引っかけて、ケース１の開口部からのカード２の上部が突出するようにしている。
【０００４】
【特許文献１】
実開平６−２００７５号公報
【０００５】
【発明が解決しようとする課題】
上記従来例では、必要とする情報を表示する場合に、その情報が記載されたカードをわざわざケース１から出さなければならない。また、そのカードを一番手前側に移動させた後、保持部３に引っかけるといった作業も必要となる。
一方、表示したカードをケース１内に収納する場合には、そのカード２を一旦持ち上げて、その下端を保持部３から引き抜く必要があり、収納時にも手間がかかる。
以上のように、従来のカード保持具は、カードのセットや収納時に手間がかかるという不都合があった。
この発明の目的は、カードをケースからわざわざ取り出さなくてもセットすることができ、しかも、ケース内に簡単に収納することもできるカード保持具を提供することである。
【０００６】
【課題を解決するための手段】
第１の発明は、開口部を有するケースと、このケース内に設けるとともにこのケースの前面部と後面部とに架け渡した弾性体と、ケース内に出し入れ自在にした１又は複数のカードとを備え、上記カードの両側またはいずれか一側に凹部を設けるとともに、この凹部と挿入方向端との間に係止部を設け、ケース内にカードを入れたときに、このカードに設けた係止部が、上記ケース内の弾性体に引っかかることによって、ケースに対するカードの移動が規制されることを特徴とする。
【０００７】
第２の発明は、上記第１の発明において、ケースの側面部から前面部および後面部にかけてスリットを形成し、このスリットに弾性体を架け渡したことを特徴とする。
【０００８】
第３の発明は、上記第１の発明において、ケースは、前面部、後面部、両側面部及び底面部を有する一枚の厚紙からなり、上記両側面部、前面部および後面部にスリットを形成し、前面部と後面部とを対向させた状態で、これら前面部、後面部、及び両側面部に弾性体である輪ゴムをかけるとともに、その一部をスリットに引っかけて、ケースの形状を保持することを特徴とする。
【０００９】
【発明の実施の形態】
図１〜図９にこの発明の第１実施形態を示す。
図１，図２に示すように、ケース５内には、複数のカード６を収納している。これらカード６は、ケース５に対して出し入れ自在になっていて、図３に示すように、ケース５の開口部１８から挿入するようにしている。
上記ケース５は、その両側面部７から前面部８および後面部９にかけてスリット１０，１０を形成している。そして、これらスリット１０，１０の部分に、弾性体である輪ゴム１１を引っかけている。
また、上記ケース５は、その両側面部７に起立片４，４を設けるとともに、その底面部１９にも起立片１６を設けている。そして、これら起立片４，４及び起立片１６によって、ケース５を起立させた状態を保つようにしている。
【００１０】
一方、カード６は、図４に示すように、その両側に凹部１２，１２を形成するとともに、これら凹部１２，１２と挿入方向端１３との間に係止部１４，１４を設けている。そして、図５に示すように、上記凹部１２，１２および係止部１４，１４を、丸みをつけて連続させている。
また、各係止部１４，１４には、直線状にした直線部１５を設けているが、このように直線部１５を設けた理由については後で説明する。
なお、図４において符号１７は見出しであり、この見出し１７の部分に個々のカード５の情報を記載するようにしている。
【００１１】
このようにしたカード６を、開口部１８からケース５に挿入するが、これらケース５とカード６との関係を、図６〜図８に示す。なお、これら図６〜図８は、前面部８と底面部１９（図９参照）とを省略した説明図である。
図６に示すように、ケース５内にカード６を完全に収納すると、カード６に設けた凹部１２，１２の上部が、ケース５に形成したスリット１０，１０に対向するように設計している。ただし、このときケース５に設けたスリット１０，１０の底部が、カード６に設けた凹部１２，１２よりも外側に位置するようにしている。したがって、輪ゴム１１は、スリット１０，１０に引っかけられた状態を保ち、カード６の両側に輪ゴム１１は接触していない。
【００１２】
上記の状態から、図７に示すように、カード６を図中上方向に引き上げると、カード６に設けた係止部１４，１４によって、輪ゴム１１の両側が両側面部７，７側に押し広げられる。このように輪ゴム１１を押し広げながら、スリット１０の位置よりも上方にカード６を引き上げると、輪ゴム１１内からカード６が完全に抜ける。輪ゴム１１内からカード６が完全に抜けると、輪ゴム１１はスリット１０に引っかかった状態に戻る。
このような状態にして、カード６から手を離すと、図８に示すように、下降するカード６の係止部１４，１４が輪ゴム１１に引っかかり、ケース５に対するカード６の移動が規制される。そして、このように移動が規制された状態で、ケース５の開口部１８からカード６の上部が突出した状態に保たれる。
【００１３】
以上のように、この第１実施形態によれば、カード６に設けた係止部１４，１４を、輪ゴム１１によって保持する構成にしているので、カード６を上方に所定量引き抜くだけで、そのカード６に記載された情報を表示させることができる。また、カード６に設けた係止部１４，１４を、ケース前面部８から後面部９に架け渡した輪ゴム１１によって保持する構成にしたので、表示させたいカード６を一番手前に移動させる必要もない。
【００１４】
なお、この第１実施形態では、上記のように輪ゴム１１によってカード６を保持するときに、そのカード６が大きく傾かないようにしている。すなわち、図８に示す保持状態では、輪ゴム１１の上にカード６の両係止部１４，１４が載ることで、その状態が保持されているが、仮に、この輪ゴム１１に載る部分が丸くなっていると、ケース５内でカード６の位置が左右にずれたときに、支持する高さに差ができるため、カード６が傾いて見栄えが悪くなるという不都合が生じる。しかし、この第１実施形態では、係止部１４，１４に設けた直線部１５，１５を輪ゴム１１に載せるようにしているので、カード６の位置が左右にずれたとしても、支持する高さの差はほとんど生じない。したがって、カード６の傾きが規制されて、見栄えを損なうこともない。
【００１５】
一方、図８に示す保持状態から、カード６を図中下向きに押すと、図７に示すように、係止部１４，１４によって輪ゴム１１がケース５の両側面７，７側に押し広げられる。この状態からさらにカード６を下に押すと、係止部１４，１４が輪ゴム１１の部分を通過する。このように係止部１４，１４が輪ゴム１１の部分を通過すると、輪ゴム１１による規制力がなくなるので、図６に示すように、カード６が元の収納状態に戻る。つまり、カード６をわざわざ持ち上げなくても、カード６を上から押すだけで、カード６を収納状態に戻すことができる。
以上のように、この第１実施形態によれば、選択したカード６を突出させる場合にも、突出させたカード６をケース５内に収納する場合にも、その作業を簡単に行うことができる。
【００１６】
なお、図７に示すように、係止部１４，１４によって輪ゴム１１を押し広げた状態で、ケース５の両側面７，７と係止部１４，１４との間に形成される隙間を、輪ゴム１１の太さよりも少しだけ大きくしている。したがって、カード６を出し入れするときに、カード６と両側面７，７との間に輪ゴム１１が挟まれたりせず、輪ゴム１１によってカード６のスムーズな出し入れが阻害されるといった不都合はない。
また、凹部１２，１２と係止部１４，１４とを丸みをつけて連続させているので、カード６を出し入れするときに、カード６によって輪ゴム１１が傷つくこともない。
【００１７】
ところで、上記ケース５は、図９に示すように、１枚の厚紙によって構成されている。すなわち、このケース５は、前面部８と、後面部９と、これら前面部８及び後面部９にそれぞれ設けた両側面部７，７と、底部部１９とからなり、後面部９の両側面部７，７には、起立片４，４及び支持片２０，２０を設けている。そして、上記後面部９から支持片２０，２０にかけて、スリット１０，１０を形成し、前面部８とその両側面部７，７にも、スリット１０，１０を形成している。
このようにしたケース５は、底面部１９を境にして、前面部８と後面部９とを対向させるとともに、両側面部７，７を９０度に折り曲げる。また、支持片２０，２０をさらに９０度折り曲げて、スリット１０，１０の部分を完成させる。そして、各スリット１０，１０の部分に輪ゴム１１を引っかけることによって、ケース５の形状を保つようにしている。
【００１８】
以上のように、輪ゴム１１は、カード６を保持する以外に、ケース５の形状を保持する機能も有している。
そして、このように輪ゴム１１を使用すれば、接着剤を全く使用せずにケース５を構成できるので、接着剤を使用する場合に比べて、ケース５の製造コストを安くすることができる。
【００１９】
なお、この第１実施形態では、厚紙によってケース５を形成しているが、プラスチックなどの樹脂でケース５を構成してもよい。
また、図１０に示す第２実施形態のように、スリット１０，１０を形成せずに、ケース２１の内部に弾性体２４，２４を設けて、これら弾性体２４，２４をケース２１の前面部２２と後面部２３とに架け渡すようにしてもよい。このような構成にしても、上記第１実施形態と同様に、弾性体２４，２４の位置で、カード６を保持することができるし、また、その保持状態を簡単に解除することもできる。ただし、スリット１０，１０を形成すれば、弾性体として輪ゴムを用いることができるので、製造しやすくなる分、製造コストも安くすることができる。
【００２０】
また、上記第１，第２実施形態では、ケース５の両側面７，７側に弾性体を架け渡しているが、弾性体はいずれか一方側でもよい。この場合には、カードの傾きを規制するために、ケース５の内寸とカード６の幅をほぼ等しくするとよい。さらに、上記第１実施形態では、カード６の両側に凹部１２，１２を設けているが、凹部１２はいずれか一方だけでもよい。
【００２１】
さらにまた、上記第１実施形態では、カード６に係止部１４，１４を一段しか形成していないが、この係止部１４，１４は複数段形成してもよい。例えば、図１１に示すように、凹部１２，１２を二段形成し、係止部１４，１４を二カ所設けてもよい。このように係止部１４，１４を二段にすれば、カード６を二カ所で保持することができる。
【００２２】
【発明の効果】
第１の発明によれば、ケース内にカードを入れたときに、このカードに設けた係止部が、ケース内に設けた弾性体に引っかかることで、ケースに対するカードの移動を規制する構成にしたので、表示したいカードをわざわざ一番手前に移動させる必要がない。また、弾性体によってカードを保持いるだけなので、カードを押せば、このカードをケース内に収納することができる。つまり、選択したカードを突出させて表示したり、突出しているカードをケース内に収納したりする作業を簡単に行うことができる。
【００２３】
第２の発明によれば、ケースの側面部から前面部および後面部にかけてスリットを形成し、このスリットに弾性体を架け渡す構成にしたので、弾性体として輪ゴムを用いることができる。このように弾性体として輪ゴムを用いれば、ケース内に弾性体を掛け渡す場合に比べて、製造コストを安くすることもできる。
【００２４】
第３の発明によれば、接着剤を全く使わずに、一枚の厚紙と輪ゴムによってケースを構成できるので、接着剤を使用する場合に比べて、製造コストを安くすることができる。
【図面の簡単な説明】
【図１】第１実施形態の正面斜視図である。
【図２】第１実施形態の背面斜視図である。
【図３】ケース５のみの正面斜視図である。
【図４】カード６の正面図である。
【図５】カード６の部分拡大図である。
【図６】カード６がケース５に完全に収納された状態を示す説明図である。
【図７】カード６がケース５に対して移動している状態を示す説明図である。
【図８】カード６が輪ゴム１１によって保持されている状態を示す説明図である。
【図９】ケース５の展開図である。
【図１０】第２実施形態の斜視図である。
【図１１】係止部１４を２段にしたカード６の正面図である。
【図１２】従来例の斜視図である。
【図１３】従来例の断面図である。
【符号の説明】
５、２１  ケース
６  カード
７  側面部
８、２２  前面部
９、２３  後面部
１０  スリット
１１  輪ゴム
１２  凹部
１３  挿入方向端
１４  係止部
１８  開口部
１９  底面部
【図１】
2004202863.tif 000003
【図２】
2004202863.tif 000004
【図３】
2004202863.tif 000005
【図４】
2004202863.tif 000006
【図５】
2004202863.tif 000007
【図６】
2004202863.tif 000008
【図７】
2004202863.tif 000009
【図８】
2004202863.tif 000010
【図９】
2004202863.tif 000011
【図１０】
2004202863.tif 000012
【図１１】
2004202863.tif 000013
【図１２】
2004202863.tif 000014
【図１３】
2004202863.tif 000015